(57)【要約】【課題】低電力低電圧で動作する無線周波（ＲＦ）振幅変調ＲＦＩＤタグ変調器を提供する。【解決手段】第１および第２入力ポート、第１および第２入力ポートの各々用の+ve 包絡線検出器回路、第１および第２入力ポートの各々用の-ve 包絡線検出器回路、+ve 包絡線微分回路、+ve 包絡線微分回路、+ve低域濾波フィルタ、-ve 包絡線微分回路、-ve低域濾波フィルタ、および零交差検出器を含む復調器回路を用意し、零交差検出器内でＲＦ入力信号の遷移を、フィルタ処理された+ve微分包絡線信号とフィルタ処理された-ve微分包絡線信号との間の電圧差を用いて検出する。【選択図】図６
2006180469.tif 000002
【特許請求の範囲】
【請求項１】
無線周波振幅変調信号を復調するための方法であって：
+ve 包絡線検出器回路、前記+ve 包絡線検出器回路の出力に結合された１つの入力を有する第１低域濾波フィルタ、前記第１低域濾波フィルタの出力に結合された入力を有する第２低域濾波フィルタ、および前記第１低域濾波フィルタの出力に結合された第１入力と、前記第２低域濾波フィルタの出力に結合された第２入力とを有するラッチ式比較器回路とを含む、復調器回路を用意し；
無線周波振幅変調信号を前記+ve 包絡線検出器回路で受信し；
+ve 包絡線信号を前記+ve 包絡線検出器回路で検出し；
前記+ve 包絡線信号を前記第１低域濾波フィルタに供給し；
前記+ve 包絡線信号を前記第１低域濾波フィルタでフィルタ処理し；
前記フィルタ処理された+ve 包絡線信号を、前記ラッチ式比較器回路の前記第１入力に供給する、以上のステップを含む前記方法。
【請求項２】
請求項１記載の方法が更に：
前記フィルタ処理された+ve 包絡線信号を、前記第２低域濾波フィルタに供給し；
前記+ve 包絡線信号の遅延版を前記第２低域濾波フィルタを用いて生成し；
前記+ve 包絡線信号の前記遅延版を、前記ラッチ式比較器回路の前記第２入力に供給し；
前記ラッチ式比較器回路内で、前記無線周波振幅変調信号内の遷移を、前記第１低域濾波フィルタからの前記+ve 包絡線信号と、前記第２低域濾波フィルタからの前記遅延された+ve 包絡線信号との間の電圧差を用いて検出する、以上のステップを含む前記方法。
【請求項３】
請求項２記載の方法において、前記第１低域濾波フィルタが約５０万ヘルツのカット・オフ周波数を有する、一次連続低域濾波フィルタである、前記方法。
【請求項４】
請求項２記載の方法において、前記+ve 包絡線信号の遅延版を前記第２低域濾波フィルタを用いて生成する前記ステップが：
前記第２低域濾波フィルタのＲＣ時定数の値を選択するステップを含む、前記方法。
【請求項５】
無線周波振幅変調信号を復調するための方法であって：
+ve 包絡線検出器回路、前記+ve 包絡線検出器回路の出力に結合された１つの入力を有する低域濾波フィルタ、基準電圧レベル・ユニット、および前記低域濾波フィルタの出力に結合された第１入力と、前記基準電圧レベル・ユニットの出力に結合された第２入力とを有するラッチ式比較器回路とを含む、復調器回路を用意し；
無線周波振幅変調信号を前記+ve 包絡線検出器回路で受信し；
+ve 包絡線信号を前記+ve 包絡線検出器回路で検出し；
前記+ve 包絡線信号を前記第１低域濾波フィルタに供給し；
前記+ve 包絡線信号を前記第１低域濾波フィルタでフィルタ処理し；
前記フィルタ処理された+ve 包絡線信号を、前記ラッチ式比較器回路の前記第１入力に供給する、以上のステップを含む前記方法。
【請求項６】
請求項５記載の方法が更に：
基準電圧を前記基準電圧レベル・ユニットから前記ラッチ式比較器回路の前記第２入力に供給し；
前記ラッチ式比較器回路内で、前記無線周波振幅変調信号層内の遷移を、前記低域濾波フィルタからの前記+ve 包絡線信号と、前記基準電圧レベル・ユニットからの前記基準電圧との間の電圧差を用いて検出する、以上のステップを含む、前記方法。
【請求項７】
請求項６記載の方法において、前記低域濾波フィルタが約５０万ヘルツのカット・オフ周波数を有する、一次連続低域濾波フィルタである、前記方法。
【請求項８】
無線周波振幅変調信号を復調するための方法であって：
+ve 包絡線検出器回路、前記+ve 包絡線検出器回路の出力に結合された１つの入力を有する第１微分回路、前記第１微分回路の出力に結合された入力を有する第１低域濾波フィルタ、および前記第１低域濾波フィルタの出力に結合された第１入力を有するラッチ式比較器回路とを含む、復調器回路の第１部分を用意し；
前記復調回路の前記第１部分に並列に、-ve 包絡線検出器回路、前記-ve 包絡線検出器回路の出力に結合された１つの入力を有する第２微分回路、前記第２微分回路の出力に結合された入力を有する第２低域濾波フィルタを結合し、此処で前記第２低域濾波フィルタの出力が前記零交差検出器の第２入力に結合されるようにし；
無線周波振幅変調信号を前記+ve 包絡線検出器回路で受信し；
+ve 包絡線信号を前記+ve 包絡線検出器回路で検出し；
前記+ve 包絡線信号を前記第１微分回路に供給する、以上のステップを含む前記方法。
【請求項９】
請求項８記載の方法が更に：
前記第１微分回路からの微分+ve 包絡線信号を前記第１低域濾波フィルタに供給し；
前記微分+ve 包絡線信号を前記第１低域濾波フィルタでフィルタ処理し；
前記微分+ve 包絡線信号を前記零交差検出器の前記第１入力に供給する、以上のステップを含む前記方法。
【請求項１０】
請求項９記載の方法が更に：
無線周波振幅変調信号を前記-ve 包絡線検出器回路で受信し；
-ve 包絡線信号を前記-ve 包絡線検出器回路で検出し；
前記-ve 包絡線信号を前記第２微分回路に供給し；
前記第２微分回路からの微分-ve 包絡線信号を前記第２低域濾波フィルタに供給し；
前記微分-ve 包絡線信号を前記第２低域濾波フィルタでフィルタ処理し；
前記微分-ve 包絡線信号を前記零交差検出器の前記第２入力に供給する、以上のステップを含む前記方法。
【請求項１１】
請求項１０記載の方法が更に：
前記零交差検出器において、前記無線周波振幅変調信号内の遷移を、前記第１低域濾波フィルタからの前記フィルタ処理された微分+ve 包絡線信号と、前記第２低域濾波フィルタからの前記フィルタ処理された微分-ve 包絡線信号との間の電圧差を用いて検出することを含む、前記方法。
【請求項１２】
請求項１１記載の方法において、
前記第１低域濾波フィルタが約５０万ヘルツのカット・オフ周波数を有する、一次連続低域濾波フィルタであり；
前記第２低域濾波フィルタが約５０万ヘルツのカット・オフ周波数を有する、一次連続低域濾波フィルタである、前記方法。
【請求項１３】
請求項１１記載の方法が更に：
前記遷移を前記零交差検出器内で検出するステップを含み、此処で前記零交差検出器は２０パーセントの最小検出閾値を有する、前記方法。
【請求項１４】
無線周波振幅変調信号を第１入力ポートと第２入力ポートとを有する復調器内で復調するための方法であって：
第１ポート+ve 包絡線検出器回路、第１ポート-ve 包絡線検出器回路、第２ポート+ve 包絡線検出器回路、第２ポート-ve 包絡線検出器回路を含む、復調器回路を用意し；
前記第１ポート+ve 包絡線検出器回路の出力と、前記第２ポート+ve 包絡線検出器回路の出力とを互いに結合し；
前記第１ポート-ve 包絡線検出器回路の出力と、前記第２ポート-ve 包絡線検出器回路の出力とを互いに結合し；
前記第１ポート+ve 包絡線検出器回路の出力と、前記第２ポート+ve 包絡線検出器回路の出力に、+ve 包絡線微分回路を結合し；
+ve 包絡線低域濾波フィルタの入力を前記+ve 包絡線微分回路の出力に結合し；
零交差検出器の第１入力を前記+ve 包絡線低域濾波フィルタの出力に結合する、以上のステップを含む前記方法。
【請求項１５】
請求項１４記載の方法が更に：
無線周波振幅変調信号を前記第１ポート+ve 包絡線検出器回路と前記第２ポート+ve 包絡線検出器回路内で受信し；
第１ポート+ve 包絡線信号を第１ポート+ve 包絡線検出器回路で検出し；
第２ポート+ve 包絡線信号を第２ポート+ve 包絡線検出器回路で検出し；
前記第１ポート+ve 包絡線信号を前記第２ポート+ve 包絡線信号と組み合わせ；
前記+ve 包絡線信号を前記+ve 包絡線微分回路に供給し；
前記+ve 包絡線微分回路からの微分+ve 包絡線信号を前記+ve 包絡線低域濾波フィルタに供給し；
前記微分+ve 包絡線信号を前記+ve 包絡線低域濾波フィルタでフィルタ処理し；
前記フィルタ処理された微分+ve 包絡線信号を前記零交差検出器の前記第１入力に供給する、以上のステップを含む、前記方法。
【請求項１６】
請求項１５記載の方法が更に：
前記第１ポート-ve 包絡線検出器回路の出力と、前記第２ポート-ve 包絡線検出器回路の出力に、-ve 包絡線微分回路を結合し；
-ve 包絡線低域濾波フィルタの入力を前記-ve 包絡線微分回路の出力に結合し；
零交差検出器の第２入力を前記-ve 包絡線低域濾波フィルタの出力に結合する、以上のステップを含む前記方法。
【請求項１７】
請求項１６記載の方法が更に：
無線周波振幅変調信号を前記第１ポート-ve 包絡線検出器回路と前記第２ポート-ve 包絡線検出器回路内で受信し；
第１ポート-ve 包絡線信号を第１ポート-ve 包絡線検出器回路で検出し；
第２ポート-ve 包絡線信号を第２ポート-ve 包絡線検出器回路で検出し；
前記第１ポート-ve 包絡線信号を前記第２ポート-ve 包絡線信号と組み合わせ；
前記-ve 包絡線信号を前記-ve 包絡線微分回路に供給し；
前記-ve 包絡線微分回路からの微分-ve 包絡線信号を前記-ve 包絡線低域濾波フィルタに供給し；
前記微分-ve 包絡線信号を前記-ve 包絡線低域濾波フィルタでフィルタ処理し；
前記フィルタ処理された微分-ve 包絡線信号を前記零交差検出器の前記第２入力に供給する、以上のステップを含む、前記方法。
【請求項１８】
請求項１７記載の方法が更に：
前記零交差検出器において、前記無線周波振幅変調信号内の遷移を、前記+ve低域濾波フィルタからの前記フィルタ処理された微分+ve 包絡線信号と、前記-ve低域濾波フィルタからの前記フィルタ処理された微分-ve 包絡線信号との間の電圧差を用いて検出することを含む、前記方法。
【請求項１９】
請求項１８記載の方法が更に：
第１ＲＦ制限器を前記第１ポート+ve 包絡線検出器回路と、前記第１ポート-ve 包絡線検出器回路の入力に設置し；
第２ＲＦ制限器を前記第２ポート-ve 包絡線検出器回路と、前記第２ポート-ve 包絡線検出器回路の入力に設置する、以上のステップを含む前記方法。
【請求項２０】
請求項１１記載の方法が更に：
ＲＦ信号を前記復調器回路で受信し；
前記復調器回路内のデータ高状態に、前記復調器回路内でのレベル・シフトの第２段階で初期化することを含む、前記方法。
【発明の詳細な説明】
【技術分野】
【０００１】
（関連出願の相互参照）
本出願は、２００４年１１月１２日出願の米国特許出願シリアル番号６０／６２７，７５９号の３５  Ｕ．Ｓ．Ｃ．  第１１９（ｅ）章の恩恵を申し立てるものである。
本発明は一般的に半導体素子の製造技術に関わり、詳細には無線周波識別（RFID）タグ内の無線周波(RF)振幅変調(ＡＭ)信号向け低電力低電圧データ検出回路を提供するためのシステム並びに方法に関する。
【背景技術】
【０００２】
無線周波識別(RFID)技術は非接触識別システムを含む。ＲＦＩＤ技術は、人間が介入することなく効率的に製品、場所、時刻または取り扱いデータを収集するための自動的方法を提供する。
【０００３】
ＲＦＩＤシステムは一般的に、１つの読み取りユニットを含み、これは無線周波識別(RFID)タグの様な応答機に問い合わせをするために無線エネルギーを送信するためにアンテナを使用する。ＲＦＩＤタグはオンチップ電池を有さず、代わりにそのエネルギーを読み取りユニットからの入力ＲＦ信号から受け取る。ＲＦＩＤタグは入力ＲＦ信号からのエネルギーを、ＲＦＩＤタグのチップ内に格納されたデータを抽出し、そしてそのデータを読み取りユニットへ返信するために使用する。読み取りユニットは続いてＲＦＩＤタグからのデータを、更に処理するためにコンピュータへ送る。
【０００４】
ＲＦＩＤシステムは通常１つの読み取りユニットと複数のＲＦＩＤタグを含む。ＲＦＩＤシステムはＲＦＩＤタグを有し読み取りユニットの読み取り範囲内に配置されている人または物体を識別するために使用できる。予め定められた通信プロトコルを用いて読み取りユニットは、その範囲内に配置されている全てのＲＦＩＤタグと通信することが可能である。
【０００５】
ＲＦＩＤシステムの１つの実施例において、読み取りユニットはデータをＲＦＩＤタグに対して、九百メガヘルツ（900MHz）から２．４ギガヘルツ（2.4GHz）の範囲の周波数を有する振幅変調（AM）無線周波（RF）で送信する。ＲＦＩＤタグの中で、復調器は入力ＲＦ信号からベース帯域信号を復元する。ＲＦＩＤタグ内の復調器は、ＲＦＩＤタグのチップに対して電力を与えるのに十分な電力を有するＲＦ振幅（RF amplitude）のベース帯域信号を復元出来なければならない。
【０００６】
ＲＦＩＤタグ内の復調器はまたＡＳＫ復調深さを２０パーセント（20%）から１００パーセント（100%）に復号出来なければならない。ＲＦＩＤタグ内の復調器はまた、毎秒１万６千ビット（16Kbps）から毎秒８万ビット（80Kbps）の範囲のデータ速度でデータを受信出来なければならない。
【０００７】
ＲＦＩＤタグは構造的に３つの主要ブロックに分割できる。図１に示されるように、従来技術のＲＦＩＤタグ１００の３つの主要ブロックは、アナログ・ブロック１１０、デジタル状態機械（digital state machine block）１２０および非揮発メモリ（ＮＶＭ）ブロック１３０である。アナログ・ブロック１１０は復調器回路１４０と変調器回路１５０とを含む。無線周波数（RF）はＲＦＩＤタグ１００の構成要素にアンテナ１６０を通して結合する。オンチップ直流電流（DC）電力はＲＦＩＤタグ１００の中でチャージ・ポンプ回路（図１には図示せず）を用いて生成される。ＤＣ電力はＲＦＩＤ１００のチップの残りの機能に給電するために使用される。
【０００８】
データ検出、電圧調整、後方散乱（backscatter）クロック発生、およびその他の機能はアナログ・ブロック１１０のアナログ領域内で実施される。実際のプロトコル機能はデジタル状態機械１２０内で処理される。ＥＰＣデータまたは使用者データは非揮発メモリ（ＮＶＭ）ブロック１３０の中、またはレーザ読み取り専用メモリ（ＲＯＭ）ユニット（図示せず）の中のいずれかに格納される。
【０００９】
直流電流（DC）電力発生、クロック信号発生、復調等の機能はアナログ・ブロック１１０内のアナログ回路を用いて実施される。デジタル状態機械１２０はＲＦＩＤ読み取り機ユニット（図示せず）と通信プロトコル機能を実行する。
【００１０】
図２は従来技術による復調器回路２１０が従来技術によるＲＦＩＤタグ１００の集積回路チップの他の部分に接続されている様子を示すブロック図を示す。復調器２１０およびチップの残りのアナログおよびデジタル部分２２０は、チャージ・ポンプ回路２３０で生成されレギュレータ２４０で調整された電源で動作する。
【００１１】
ＲＦＩＤタグ１００の復調器回路２１０は、異なる動作領域に対して広範な要求を有する。例えば、振幅変調（AM）信号データ速度はマイナス１０デシベル（-10 dBm）からプラス２０デシベル（20 dBm）の範囲の無線周波数（RF）電力レベルで変調されている（すなわち、１００マイクロ・ワット（100 μW）から１００ミリワット（100 mW））。先に述べたように、振幅変調（AM）信号データ速度は毎秒１万６千ビット（16 Kbps）から毎秒８万ビット（80 Kbps）またはそれ以上の間で、２０パーセント（20%）から１００パーセント（100%）の間で変化し得る変調深さで変化しうる。加えて、これらの信号の立ち上がりおよび立ち下がり時間は、データ速度によって０．３マイクロ秒（0.3 μS）と１０マイクロ秒（10 μS）の間である。
【００１２】
ＲＦＩＤタグ１００の復調器回路２１０はまた、復調処理の間に大きな遅延時間を持ち込むべきではない。復調器回路２１０はその復調処理出力を１マイクロ秒（1.0 μS）未満の遅延で提供すべきである。
【００１３】
当該技術分野において、ＲＦＩＤシステムの無線周波識別（ＲＦＩＤ）タグ内で無線周波（RF）信号に対する改善されたデータ検出回路を提供するための、システム並びに方法の必要性がある。また当該技術分野において、ＲＦＩＤシステムの無線周波識別（ＲＦＩＤ）タグ内で使用される改善された復調器回路を提供するためのシステム並びに方法の必要性がある。
【発明の開示】
【発明が解決しようとする課題】
【００１４】
先に述べた従来技術の不足部分を解決するために、本発明の第１の目的は、無線周波識別（RFID）タグの復調器回路内で、無線周波（RF）信号に対する低電力低電圧データ検出回路を提供するためのシステム並びに方法を提供するためである。
【００１５】
本発明の１つの好適な実施例において、１つの復調器回路が提供されており、これは第１入力ポートと第２入力ポートとを含む。第１ポート +ve 包絡線検出器回路および第１ポート -ve 包絡線検出器回路が第１入力ポートに結合されている。第２ポート +ve 包絡線検出器回路および第２ポート -ve 包絡線検出器回路が第２入力ポートに結合されている。
【００１６】
第２ポート +ve 包絡線検出器回路は１つの出力を有し、これは第１ポート +ve 包絡線検出器回路の出力に結合されている。第２ポート -ve 包絡線検出器回路は１つの出力を有し、これは第１ポート -ve 包絡線検出器回路の出力に結合されている。
【００１７】
+ve 包絡線微分回路の１つの入力は第１ポート+ve 包絡線検出器回路の出力と、第２ポート +ve 包絡線検出器回路の出力とに結合されている。+ve 低域濾波フィルタの入力は+ve 包絡線微分回路の出力に結合されている。
【００１８】
-ve 包絡線微分回路の１つの入力は第１ポート-ve 包絡線検出器回路の出力と、第２ポート -ve 包絡線検出器回路の出力とに結合されている。-ve 低域濾波フィルタの入力は-ve 包絡線微分回路の出力に結合されている。
【００１９】
零交差検出回路の第１入力は+ve 低域濾波フィルタの出力に結合されている。零交差検出回路の第２入力は-ve 低域濾波フィルタの出力に結合されている。零交差検出回路はＲＦ入力信号の遷移を+ve 低域濾波フィルタからの フィルタ処理された微分+ve包絡線信号と、-ve 低域濾波フィルタからのフィルタ処理された微分-ve包絡線信号との間の電圧差を用いて検出する。
【００２０】
本発明の１つの目的は無線周波識別（RFID）タグの復調器回路内の無線周波（RF）振幅変調信号を復調するためのシステム並びに方法を提供することである。
【００２１】
本発明のまた別の目的は無線周波識別（RFID）タグ内で使用される低電力低電圧復調器回路を提供するためのシステム並びに方法を提供することである。
【００２２】
本発明の更に別の目的は、複数の入力ポートを有する型式の無線周波識別（RFID）タグ内で使用される低電力低電圧復調器回路を提供するためのシステム並びに方法を提供することである。
【課題を解決するための手段】
【００２３】
先の記述は本発明の特徴および技術的な長所を大雑把に示したもので有るため、当業者は本発明の以下の詳細な記述をより良く理解されるであろう。本発明の更に別の特徴および長所はこれ以降に説明され、これらは本発明の特許請求項の主題を形成する。当業者は開示されている概念および特定実施例を基礎として用いて、本発明と同じ目的を実行するための別の構造に修正したり、または設計することが容易に行えることを理解されたい。当業者はまたその様な等価な構造が、広範な形式で本発明の精神および範囲から逸脱しないことを認識されたい。
【００２４】
以下に本発明の詳細な説明を行う前に、本出願全体で使用されている語句の定義をするのが望ましいであろう：用語「包含する（include）」と「備える（comprise）」また同様にそれらからの派生語は、特に制限することなく、含むことを意味する；用語「または（or）」は、そして／または（and/or）の意味を含む；語句「関連する（associated with）」および「それと共に関連する（associated therewith）」また同様にそれらの派生語は、含む、その中に含まれる、相互接続されている、内包する、その中に含まれる、互いに接続する、互いに結合する、通信可能である、協調する、交互配置する、並列配置する、近接する、拘束される、有する、優先順位を有する、所有権を有する、等を意味する；そして用語「制御装置（controller）」は、少なくとも１つの動作を制御する装置、システムまたは部品を意味し、その様な装置はハードウェア、ファームウェアまたはソフトウェアで実装されているか、または同様の少なくとも２つの組み合わせで実現されている。全ての特定制御装置に関連する機能は集中されていても、または局所的または遠隔的に分散されていても構わないことに注意されたい。いくつかの語句の定義を本特許文書全体に対して提示したが、通常の技量を有する当業者は、ほとんどの事象とは言わなくても、多くのその様な定義が従来技術、同様に将来技術のその様な定義された語句に適用されることを理解されよう。
【００２５】
本発明およびその特長を更に完全に理解するために、添付図と共に下記の説明が参照されており、図の中で同様の参照番号は同様の部品を表している。
【実施例】
【００２６】
以下に説明される図３から図１１、および本特許明細書のなかで本発明の原理を説明するために使用される種々の実施例は、図示のみを目的としており如何なる点においても本発明の範囲を制限するものと解釈されるべきではない。当業者は本発明の原理がいかなる型式であれ、好適に構成された復調装置内で実現できることは理解されよう。
【００２７】
図３は、本発明の原理に基づく無線周波識別（RFID）タグの復調器回路の、第１の好適な実施例３００を図示する。図３に示される復調器回路３００は +ve 包絡線検出器回路３１０、第１低域濾波フィルタ３２０、第２低域濾波フィルタ３３０、およびラッチ式比較器回路３４０を含む。
【００２８】
+ve 包絡線検出器回路３１０は入力ＲＦ信号の第１+ve 包絡線信号を検出し、第１+ve 包絡線信号を第１低域濾波フィルタ３２０に通過させる。第１低域濾波フィルタ３２０の出力はラッチ式比較器回路３４０の第１入力に供給される。第１低域濾波フィルタ３２０の出力は「In」信号と示されている。第１低域濾波フィルタ３２０からの出力である第１+ve 包絡線信号（すなわち「In」信号）はまた第２低域濾波フィルタ３３０にも供給される。この第２+ve 包絡線信号は第１+ve 包絡線信号に対して、第２低域濾波フィルタ３３０のＲＣ時定数により小さな遅延を導入することによって遅延される。
【００２９】
第２低域濾波フィルタ３３０の出力は３４０の第２入力に供給される。第２低域濾波フィルタ３３０の出力は「In_delay」信号と示されている。ラッチ式比較器回路３４０は第１+ve 包絡線信号の「In」信号と第２+ve 包絡線信号の「In_delay」信号とを比較して論理レベル出力を得る。
【００３０】
入力ＲＦ信号の第１+ve 包絡線信号を検出するために、入力ＲＦ信号は１ボルト（１Ｖ）にレベルシフトされ、続いてソース・フォロアに提供される。データの包絡線（ＲＦ強度（RF magnitude）と重畳）はソース部に復元される。しかしながら、信号の高周波成分は明瞭な包絡線信号を得るために、更に減衰されなければならない。これが+ve 包絡線信号が第１低域濾波フィルタ３２０を通される理由である。
【００３１】
第１低域濾波フィルタ３２０は好適に１次連続低域濾波フィルタ（first order continuous low pass filter）である。第１低域濾波フィルタ３２０のカット・オフ周波数は好適に、ほぼ５０万ヘルツ（500KHz）に選択される。第１低域濾波フィルタ３２０は復調器回路３００が隣接する装置が生成する信号（タグ自身の後方散乱および周辺タグの後方散乱）に対して影響を受けないようにしている。第２低域濾波フィルタ３３０の特性は、第２低域濾波フィルタ３３０が生成する遅延が、最悪の場合（すなわち、ＲＦ入力の最小変調深さ）でもラッチ式比較器回路３４０に対して十分な電圧差を与えるように選択される。
【００３２】
先に述べたように、第１低域濾波フィルタ３２０から出力される第１+ve 包絡線信号は、ラッチ式比較器回路３４０の第１入力に、「In」信号として供給される。第２低域濾波フィルタ３３０から出力される第２+ve 包絡線信号はラッチ式比較器回路３４０の第２入力に「In_delay」信号として供給される。入力信号での遷移の検出は、「In」信号と「In_delay」信号との間の電圧差を用いて行われる。
【００３３】
従って、「In」と「In_delay」信号との間の電圧差が、たとえ最小入力電力および変調深さ（すなわち、最低電圧強度）の時でも、ラッチ式比較器回路３４０のヒステリシスを超える必要がある。ラッチ式比較器回路３４０のヒステリシスは演算増幅器の差動入力対のオフセット電圧より大きくなければならない。そうでないと、オフセット電圧が誤検出エッジの原因となりかねない。
【００３４】
「In」信号と「In_delay」信号との間の遅延が、２つの信号間の電圧差を増すために延長されると、入力から復調出力までの総遅延もまた増加する。従って、遅延素子の中で使用される構成部品の実際上の値の面から、復調器回路３００の動作にはある制限が存在する。
【００３５】
ＲＦ制限器（RF limiter）３５０が+ve 包絡線検出器回路３１０の直前の入力部に配置されている。ＲＦ制限器３５０は入力電力を制限する。これは復調器回路３００が動作すべき入力電力範囲の上限を設定する。加えて、非常に高い電力レベルでは、ＲＦ制限器３５０は変調深さをより浅くする。
【００３６】
図４は、本発明の原理に基づく無線周波識別（RFID）タグの復調器回路の、第２の好適な実施例４００を図示する。図４に示される復調器回路４００は +ve 包絡線信号を検出し、それを固定基準電圧レベルと比較する。図４に示される復調器回路４００は+ve 包絡線検出器回路４１０、低域濾波フィルタ４２０、基準電圧レベル・ユニット４３０、およびラッチ式比較器回路４４０を含む。
【００３７】
+ve 包絡線検出器回路４１０は入力ＲＦ信号の第１+ve 包絡線信号を検出し、第１+ve 包絡線信号を低域濾波フィルタ４２０に通過させる。低域濾波フィルタ４２０の出力はラッチ式比較器回路４４０の第１入力に供給される。低域濾波フィルタ４２０の出力は「In」信号と示されている。
【００３８】
基準電圧レベル・ユニット４３０の出力はラッチ式比較器回路４４０の第２入力に供給される。基準電圧レベル・ユニット４３０の出力は「vref」信号と示されている。ラッチ式比較器回路４４０は第１+ve 包絡線信号の「In」信号と「vref」信号とを比較して、論理レベル出力を得る。
【００３９】
入力ＲＦ信号の第１+ve 包絡線信号を検出するために、入力ＲＦ信号は１ボルト（１Ｖ）にレベルシフトされ、続いてソース・フォロアに提供される。データの包絡線（ＲＦ強度と重畳）はソース部に復元される。しかしながら、信号の高周波成分は明瞭な包絡線信号を得るために、更に減衰されなければならない。これが+ve 包絡線信号が低域濾波フィルタ４２０を通される理由である。
【００４０】
低域濾波フィルタ４２０は好適に１次連続低域濾波フィルタである。低域濾波フィルタ４２０のカット・オフ周波数は好適に、ほぼ５０万ヘルツ（500KHz）に選択される。低域濾波フィルタ４２０は復調器回路４００が隣接する装置が生成する信号（タグ自身の後方散乱および周辺タグの後方散乱）に対して影響を受けないようにしている。
【００４１】
先に述べたように、低域濾波フィルタ４２０から出力される第１+ve 包絡線信号は、ラッチ式比較器回路４４０の第１入力に、「In」信号として供給される。基準電圧レベル・ユニット４３０から出力される基準電圧はラッチ式比較器回路４４０の第２入力に「vref」信号として供給される。入力信号内での遷移の検出は、「In」信号と「vref」信号との間の電圧差を用いて行われる。
【００４２】
図４に示される復調器回路４００の動作は信号「In」と信号「vref」との間の電圧レベル差に依存する。+ve 包絡線信号「In」の最大レベルおよび最低レベルは入力電圧と変調深さレベルに依存する。従って、基準電圧「vref」に関する適切な電圧レベルの設計は非常に重要である。
【００４３】
基準電圧「vref」の値が「In」信号の最大レベルに非常に近く選択された場合、２つの電圧値「In」と「vref」との間の電圧差（「V1」と示されている）がラッチ式比較器回路４４０を動作させるのに十分では無いであろう。V1の値が増加すると、続いてV2の値が極端に減少する。これは低電力および低変調を含む状況では問題となる。従って、復調器回路４００がデータ検出可能な入力電力および変調深さの範囲は、復調器回路４００の動作に制限を与える。
【００４４】
ＲＦ制限器４５０が+ve 包絡線検出器回路４１０の直前の入力部に配置されている。ＲＦ制限器４５０は入力電力を制限する。これは復調器回路４００が動作すべき入力電力範囲の上限を設定する。加えて、非常に高い電力レベルでは、ＲＦ制限器４５０は変調深さをより浅くする。
【００４５】
図５は、本発明の原理に基づく無線周波識別（RFID）タグの復調器回路の、第３の好適な実施例５００を図示する。図５に示される復調器回路５００は +ve 包絡線信号を検出しまた−ve 包絡線信号を検出し、２つの包絡線信号を零交差検出器で比較する。図５に示される復調器回路５００は+ve 包絡線検出器回路５１０、第１微分回路５２０、第１低域濾波フィルタ５３０、-ve 包絡線検出器回路５５０、第２微分回路５６０、第２低域濾波フィルタ５７０、そして零交差検出器５４０を含む。+ve 包絡線の強度および-ve 包絡線信号の強度は共に入力ＲＦ信号の電力レベルおよび変調深さの関数である。
【００４６】
+ve 包絡線検出器回路５１０は入力ＲＦ信号の+ve 包絡線信号を検出する。+ve 包絡線検出器回路５１０は+ve 包絡線信号を先に述べたのと同様の方法で、NMOSトランジスタＭ１を用いて検出する。NMOSトランジスタＭ１のソース部の直流電流（ＤＣ）レベルは、高電力レベルでのクリッピングを避けるように調整されている。+ve 包絡線検出器回路５１０の出力は第１微分回路５２０に通される。第１微分回路５２０はブロッキング・キャパシタＣ２とPMOSトランジスタＭ３を含む。ブロッキング・キャパシタＣ２は+ve 包絡線信号の直流（ＤＣ）成分をブロックする。第１微分回路５２０は振幅変調（ＡＭ）信号を、エッジ情報を有する微分信号に変換する。
【００４７】
次に+ve 微分包絡線信号はNMOSトランジスタＭ５を用いてレベル・シフトして落とされ、第１低域濾波フィルタ５３０を通される。信号の高周波成分は明瞭な包絡線信号を得るために、更に減衰される必要がある。これが+ve 包絡線信号が低域濾波フィルタ５３０を通される理由である。第１低域濾波フィルタ５３０は好適に１次連続低域濾波フィルタである。第１低域濾波フィルタ５３０のカット・オフ周波数は好適に、ほぼ５０万ヘルツ（500KHz）に選択される。第１低域濾波フィルタ５３０は復調器回路５００が隣接する装置が生成する信号（タグ自身の後方散乱および周辺タグの後方散乱）に対して影響を受けないようにしている。
【００４８】
第１低域濾波フィルタ５３０の出力は次に零交差検出器５４０の第１入力に供給される。第１低域濾波フィルタ５３０の出力は「In1」信号と示されている。
【００４９】
同時に-ve 包絡線検出器回路５５０は入力ＲＦ信号の -ve 包絡線信号を検出する。-ve 包絡線検出器回路５５０は-ve 包絡線信号を、PMOSトランジスタＭ２を用いて検出する。PMOSトランジスタＭ２のソース部の直流電流（ＤＣ）レベルは、高電力レベルでのクリッピングを避けるように調整されている。約２００オーム（200 Ω）の抵抗値を有する抵抗器がPMOSトランジスタＭ２のゲートに直列に接続されていて、静電ストレージ・デフレクション（ESD : Electrostatic Storage Deflection）事象がＲＦパッド内に配置されているＥＳＤ素子に局所化されるようにしている。
【００５０】
-ve 包絡線検出器回路５５０の出力は第２微分回路５６０に通される。第２微分回路５６０はブロッキング・キャパシタＣ３とPMOSトランジスタＭ４を含む。ブロッキング・キャパシタＣ３は-ve 包絡線信号の直流（ＤＣ）成分をブロックする。第２微分回路５６０は振幅変調（ＡＭ）信号を、エッジ情報を有する微分信号に変換する。
【００５１】
次に-ve 微分包絡線信号はNMOSトランジスタＭ６を用いてレベル・シフトして落とされ、第２低域濾波フィルタ５７０を通される。信号の高周波成分は明瞭な包絡線信号を得るために、更に減衰される必要がある。これが-ve 包絡線信号が第２低域濾波フィルタ５７０を通される理由である。第２低域濾波フィルタ５７０は好適に１次連続低域濾波フィルタである。第２低域濾波フィルタ５７０のカット・オフ周波数は好適に、ほぼ５０万ヘルツ（500KHz）に選択される。第２低域濾波フィルタ５７０は復調器回路５００が隣接する装置が生成する信号（タグ自身の後方散乱および周辺タグの後方散乱）に対して影響を受けないようにしている。
【００５２】
第２低域濾波フィルタ５７０の出力は次に零交差検出器５４０の第１入力に供給される。第２低域濾波フィルタ５７０の出力は「In2」信号と示されている。零交差検出器５４０はフィルタ処理された微分+ve分包絡線信号の「In1」信号とフィルタ処理された微分−ve包絡線信号の「In2」信号とを比較して、論理レベル出力を得る。
【００５３】
零交差検出器５４０は単純なラッチ式比較器５４０を含む。２つの包絡線信号が比較器の差動入力対に供給されると、その出力は零交差が検出されると何時でも、高から低または低から高へ遷移する。検出には固定基準レベルが含まれていないので、検出はＲＦ電力レベルには感応しない。
【００５４】
ＲＦ制限器５８０が+ve 包絡線検出器回路５１０の直前のおよび-ve 包絡線検出器回路５５０の直前の入力部に配置されている。ＲＦ制限器５８０は入力電力を制限する。これは復調器回路５００が動作すべき入力電力範囲の上限を設定する。加えて、非常に高い電力レベルでは、ＲＦ制限器５８０は変調深さをより浅くする。
【００５５】
零交差検出器５４０のラッチのヒステリシスは最小検出閾値レベルにより決定される。１つの好適な実施例において、最小検出閾値レベルは２０パーセント（20 %）である。演算増幅器の入力差動対に対する許容入力オフセット電圧とヒステリシスとの間にはトレードオフがある。このヒステリシスは、入力オフセット電圧によるラッチの誤動作が避けられるように選択される。
【００５６】
復調器回路５００の構造はまた、カスケード構造の使用を回避する。従って復調器回路５００は、０．８ボルト（0.8 V）程度の低い供給電源電圧で動作することが可能である。効率的な低電力動作は、復調器回路５００の素子を深い閾値以下にバイアスすることで実現できる。
【００５７】
図６は、本発明の原理に基づく無線周波識別（RFID）タグの復調器回路の、第４の好適な実施例６００を図示する。ＲＦＩＤタグの中には複数の独立したアンテナ・ポートを有する型式のものもある。無線周波（ＲＦ）データは１つのポートに存在するかまたは、複数ポートに同時に存在する。各々のポートはそれら自身のアンテナ変調器およびチャージ・ポンプに信号を供給する。
【００５８】
ハードウェア（従ってチップ領域と電力消費）を最小とするために、ポートからのＲＦ信号を組み合わせることが可能である。図６は、２つのポートを有するＲＦＩＤタグで使用するように設計された、本発明の復調器回路６００の好適な実施例を図示する。第１ポートは識別子「RF1」で示され、第２ポートは識別子「RF2」で示されている。
【００５９】
図６に示される復調器回路６００は +ve 包絡線信号を２つのポート（RF1およびRF2）の各々で検出し、また−ve 包絡線信号を２つのポート（RF1およびRF2）の各々で検出する。復調器回路６００は２つのポートからの+ve 包絡線信号を組み合わせる。復調器回路６００はまた２つのポートからの-ve 包絡線信号を組み合わせる。組み合わされた信号は、図５に示される単一ポート実施例と同じレベル・シフト回路を用いてレベル・シフトされて下げられる。レベル・シフトされた信号は続いて零交差検出器に通され、復調出力を決定する。
【００６０】
図６に示される復調器回路６００は第１ポート+ve 包絡線検出器回路６１０、第１ポート-ve 包絡線検出器回路６２０、第２ポート+ve 包絡線検出器回路６３０、第２ポート-ve 包絡線検出器回路６４０、+ve 包絡線微分回路６５０、+ve 包絡線低域濾波フィルタ６６０、-ve 包絡線微分回路６７０、-ve 包絡線低域濾波フィルタ６８０、そして零交差検出器６９０を含む。+ve 包絡線の強度および-ve 包絡線信号の強度は共に入力ＲＦ信号の電力レベルおよび変調深さの関数である。
【００６１】
第１ポート+ve 包絡線検出器回路６１０は入力ＲＦ信号の+ve 包絡線信号を検出する。第２ポート+ve 包絡線検出器回路６３０はまた+ve 包絡線信号を検出する。第１ポート+ve 包絡線検出器回路６１０のNMOSトランジスタＭ１のソース部の直流電流（ＤＣ）レベル、および第２ポート+ve 包絡線検出器回路６３０のNMOSトランジスタＭ７のソース部の直流電流（ＤＣ）レベルは、高電力レベルでのクリッピングを避けるように調整されている。
【００６２】
第１ポート+ve 包絡線検出器回路６１０の出力は+ve 包絡線微分回路６５０に通される。第２ポート+ve 包絡線検出器回路６３０の出力は+ve 包絡線微分回路６５０に通される。+ve 包絡線微分回路６５０はブロッキング・キャパシタＣ２、ブロッキング・キャパシタＣ５とPMOSトランジスタＭ３を含む。ブロッキング・キャパシタＣ２は第１ポート+ve 包絡線検出器回路６１０からの+ve 包絡線信号の直流（ＤＣ）成分をブロックする。ブロッキング・キャパシタＣ５は第２ポート+ve 包絡線検出器回路６３０からの+ve 包絡線信号の直流（ＤＣ）成分をブロックする。+ve 包絡線微分回路６５０は振幅変調（ＡＭ）信号を、エッジ情報を有する微分信号に変換する。
【００６３】
次に組み合わされた+ve 包絡線信号はNMOSトランジスタＭ５を用いてレベル・シフトして落とされ、+ve 包絡線低域濾波フィルタ６６０を通される。+ve 包絡線低域濾波フィルタ６６０の出力は次に零交差検出器６９０の第１入力に供給される。+ve 包絡線低域濾波フィルタ６６０の出力は「In1」信号と示されている。
【００６４】
第１ポート-ve 包絡線検出器回路６２０は入力ＲＦ信号の-ve 包絡線信号を検出する。第２ポート-ve 包絡線検出器回路６４０はまた-ve 包絡線信号を検出する。第１ポート-ve 包絡線検出器回路６２０のPMOSトランジスタＭ２のソース部の直流電流（ＤＣ）レベル、および第２ポート-ve 包絡線検出器回路６４０のPMOSトランジスタＭ８のソース部の直流電流（ＤＣ）レベルは、高電力レベルでのクリッピングを避けるように調整されている。
【００６５】
第１ポート-ve 包絡線検出器回路６２０の出力は-ve 包絡線微分回路６７０に通される。第２ポート-ve 包絡線検出器回路６４０の出力は-ve 包絡線微分回路６７０に通される。-ve 包絡線微分回路６７０はブロッキング・キャパシタＣ３、ブロッキング・キャパシタＣ６とPMOSトランジスタＭ４を含む。ブロッキング・キャパシタＣ３は第１ポート-ve 包絡線検出器回路６２０からの+ve 包絡線信号の直流（ＤＣ）成分をブロックする。ブロッキング・キャパシタＣ６は第２ポート-ve 包絡線検出器回路６４０からの-ve 包絡線信号の直流（ＤＣ）成分をブロックする。-ve 包絡線微分回路６７０は振幅変調（ＡＭ）信号を、エッジ情報を有する微分信号に変換する。
【００６６】
次に組み合わされた-ve 包絡線信号はNMOSトランジスタＭ６を用いてレベル・シフトして落とされ、-ve 包絡線低域濾波フィルタ６８０を通される。-ve 包絡線低域濾波フィルタ６８０の出力は次に零交差検出器６９０の第２入力に供給される。-ve 包絡線低域濾波フィルタ６８０の出力は「In2」信号と示されている。零交差検出器６９０は+ve 包絡線信号の「In1」信号と-ve 包絡線信号の「In2」信号とを比較して論理レベル出力を得る。
【００６７】
ＲＦ制限器６８５が第１ポート+ve 包絡線検出器回路６１０の直前のおよび第１ポート-ve 包絡線検出器回路６２０の直前の入力部に配置されている。ＲＦ制限器６９５が第２ポート+ve 包絡線検出器回路６３０の直前のおよび第２ポート-ve 包絡線検出器回路６４０の直前の入力部に配置されている。ＲＦ制限器６８５および６９５は入力電力を制限する。これは復調器回路６００が動作すべき入力電力範囲の上限を設定する。加えて、非常に高い電力レベルでは、ＲＦ制限器６８５および６９５は変調深さをより浅くする。
【００６８】
復調器回路６００は本発明の原理が、２つの入力ポートを有するＲＦＩＤタグ内で如何にして用いられるかを図示している。本発明は２入力ポート以上を有するＲＦＩＤタグ内で同様に使用できる。
【００６９】
現在存在しているＥＰＣ０基準によれば、ＲＦＩＤタグが読み取り機ユニットと通信を開始する前に、ＲＦＩＤタグが最初にリセットされなければならない。リセット処理手順は「データ高」信号を指定された時間、ＲＦＩＤタグと読み取り機ユニットとの通信を開始する時点で供給することにより行われる。復調器回路が「データ高」状態に初期化されていない場合、復調器回路は動作条件によって「高」または「低」いずれかの任意のデータ状態で開始されるはずである。これは復調器回路内でデータの最初のエッジを取り損なうという結果をもたらす。
【００７０】
加えて、読み取り機ユニットで開始されたリセット処理手順中、ＲＦＩＤタグが初期化されていない場合、初期化が行われていないと復調器回路の整定挙動（settling behavior）により、リセット処理手順中にデータ内の変化を引き起こしかねない。これはデジタル状態機械を不正に動作させる原因となる。この問題を避けるために、復調器回路はＲＦＩＤタグの動作開始時点で「データ高」状態に初期化されなければならない。
【００７１】
本発明において、初期化処理は復調器回路内のレベル・シフトの第２段階で実施される。例えば、復調器回路６００の動作の初期化を考える。ブロッキング・キャパシタＣ２の後ろのノードが、ＲＦＩＤタグがＲＦ信号を読み取り機ユニットから受け取りを開始した時点で、電力供給電圧（VDD）にプルアップされる。初期状態に設定された後、このプルアップ動作は不能化される。
【００７２】
+ve 包絡線検出器で強力なプルアップが使用されるため、ブロッキング・キャパシタＣ２の後ろのノードは、-ve 包絡線検出器が同一ＤＣレベルに達する前に高状態になる。+ve 包絡線に対するラッチが動作し、この値がラッチされる。零交差検出器６９０内のヒステリシスは、ＲＦ信号内にデータが存在しない時に、-ve 包絡線がまた同一ＤＣレベルに達する際に、同一出力にラッチするように手助けする。
【００７３】
図７Ａから図７Ｄは本発明の復調器回路の動作を図示する、４つのタイミング図を図示する。この４つのタイミング図は復調器回路５００を含むＲＦＩＤタグの動作のコンピュータ・シミュレーションから得られたものである。シミュレーションされた復調器回路は１ボルト（1 V）の公称電圧で動作し、0.18 μm  ＣＭＯＳ技術でほぼ５００ナノワット（500 nW）の電力を消費する。シミュレーションされたＲＦ信号は、毎秒８万ビット（80 Kbps）のデータ速度および３０パーセント（30 %）の変調深さを有する。シミュレーションされた復調器回路のシリコン領域は、ほぼ７５ミクロン（75μm）かける１６０ミクロン（160μm）である。
【００７４】
図７Ａに示されている第１タイミング図は、論理レベル復調器出力電圧を時間の関数として示している。図７Ｂに示されている第２タイミング図は、ラッチされた+ve 包絡線およびラッチされた-ve 包絡線（ラッチ比較器出力）の電圧を時間の関数として示す。図７Ｃに示されている第３タイミング図は、+ve ＲＦ包絡線および-ve ＲＦ包絡線（レベル・シフト後）の電圧を時間の関数として示す。図７Ｄに示されている第４タイミング図は、全時間に渡る入力ＲＦ信号の電圧を示す。
【００７５】
図８は本発明の方法の第１の好適な実施例のステップ８００を示す流れ図を図示する。復調器回路３００が具備されており、これは+ve 包絡線検出器回路３１０、第１低域濾波フィルタ３２０、第２低域濾波フィルタ３３０およびラッチ式比較器回路３４０を含む（ステップ８１０）。無線周波（ＲＦ）信号が+ve 包絡線検出器回路３１０で受信され、+ve 包絡線信号が検出される（ステップ８２０）。+ve 包絡線信号は続いて第１低域濾波フィルタ３２０に供給される（ステップ８３０）。第１低域濾波フィルタ３２０からのフィルタ処理された+ve包絡線信号がラッチ式比較器回路３４０の第１入力に供給される（ステップ８４０）。
【００７６】
第１低域濾波フィルタ３２０からのフィルタ処理された+ve包絡線信号はまた、フィルタ処理された+ve包絡線信号の遅延版を生成するために、第２低域濾波フィルタ３３０にも供給される（ステップ８５０）。第２低域濾波フィルタ３３０からの遅延され、フィルタ処理された+ve包絡線信号が次にラッチ式比較器回路３４０の第２入力に供給される（ステップ８６０）。ラッチ式比較器回路３４０はＲＦ信号内の遷移を、第１低域濾波フィルタ３２０からのフィルタ処理された+ve包絡線信号と、第２低域濾波フィルタ３３０からの遅延され、フィルタ処理された+ve包絡線信号の間の電圧差を用いて検出する。
【００７７】
図９は本発明の方法の第２の好適な実施例のステップ９００を示す流れ図を図示する。復調器回路４００が具備されており、これは+ve 包絡線検出器回路４１０、低域濾波フィルタ４２０、基準電圧レベル・ユニット４３０およびラッチ式比較器回路４４０を含む（ステップ９１０）。次に、無線周波（ＲＦ）信号が+ve 包絡線検出器回路４１０で受信され、+ve 包絡線信号が検出される（ステップ９２０）。+ve 包絡線信号は次に低域濾波フィルタ４２０に供給される（ステップ９３０）。低域濾波フィルタ４２０からのフィルタ処理された+ve 包絡線信号は、ラッチ式比較器回路４４０の第１入力に供給される（ステップ９４０）。
【００７８】
基準電圧レベル・ユニット４３０からの基準電圧が次にラッチ式比較器回路４４０の第２入力に供給される（ステップ９５０）。ラッチ式比較器回路４４０はＲＦ信号内の遷移を低域濾波フィルタ４２０からのフィルタ処理された+ve 包絡線信号と、基準電圧レベル・ユニット４３０からの基準電圧との間の電圧差を用いて検出する。
【００７９】
図１０は本発明の方法の第３の好適な実施例のステップ１０００を示す流れ図を図示する。復調器回路５００が具備されており、これは+ve 包絡線検出器回路５１０、第１微分回路５２０、第１低域濾波フィルタ５３０、零交差検出器５４０、そして並列結合された、-ve 包絡線検出器回路５５０、第２微分回路５６０、および第２低域濾波フィルタ５７０を含む（ステップ１０１０）。無線周波（ＲＦ）信号が+ve 包絡線検出器回路５１０で受信され、+ve 包絡線信号が検出される（ステップ１０２０）。+ve 包絡線信号は次に第１微分回路５２０に供給される（ステップ１０３０）。続いて第１微分回路５２０の出力は第１低域濾波フィルタ５３０に供給される（ステップ１０４０）。第１低域濾波フィルタ５３０からのフィルタ処理された微分出力信号は零交差検出器５４０の第１入力に供給される（ステップ１０５０）。
【００８０】
無線周波（ＲＦ）信号が-ve 包絡線検出器回路５５０で受信され、-ve 包絡線信号が検出される（ステップ１０６０）。-ve 包絡線信号は次に第２微分回路５６０に供給される（ステップ１０７０）。続いて第２微分回路５６０の出力は第２低域濾波フィルタ５７０に供給される（ステップ１０８０）。第２低域濾波フィルタ５７０からのフィルタ処理された微分出力信号は零交差検出器５４０の第２入力に供給される（ステップ１０９０）。
【００８１】
零交差検出器５４０はＲＦ信号内の遷移を、第１低域濾波フィルタ５３０からのフィルタ処理された微分+ve 包絡線信号と、第２低域濾波フィルタ５７０からのフィルタ処理された微分-ve 包絡線信号との間の電圧差を用いて検出する（ステップ１０９５）。
【００８２】
図１１は本発明の方法の第４の好適な実施例のステップ１１００を示す流れ図を図示する。復調器回路６００が具備されており、これは第１ポート+ve 包絡線検出器回路６１０、第１ポート-ve 包絡線検出器回路６２０、第２ポート+ve 包絡線検出器回路６３０、第２ポート-ve 包絡線検出器回路６４０、+ve 包絡線微分回路６５０、+ve 包絡線低域濾波フィルタ６６０、-ve 包絡線微分回路６７０、-ve 包絡線低域濾波フィルタ６８０および零交差検出器６９０を含む（ステップ１１１０）。無線周波（ＲＦ）信号が第１ポート+ve 包絡線検出器回路６１０と第２ポート+ve 包絡線検出器回路６３０とで受信され、検出された+ve 包絡線信号は組み合わされる（ステップ１１２０）。+ve 包絡線信号は次に+ve 包絡線微分回路６５０と、そして続いて+ve 包絡線低域濾波フィルタ６６０に供給される（ステップ１１３０）。+ve 包絡線低域濾波フィルタ６６０からのフィルタ処理された+ve 包絡線信号は、次に零交差検出器６９０の第１入力に供給される（ステップ１１４０）。
【００８３】
無線周波（ＲＦ）信号が第１ポート-ve 包絡線検出器回路６２０と第２ポート-ve 包絡線検出器回路６４０とで受信され、検出された-ve 包絡線信号は組み合わされる（ステップ１１５０）。-ve 包絡線信号は次に-ve 包絡線微分回路６７０と、そして続いて-ve 包絡線低域濾波フィルタ６８０に供給される（ステップ１１６０）。-ve 包絡線低域濾波フィルタ６８０からのフィルタ処理された-ve 包絡線信号は、次に零交差検出器６９０の第２入力に供給される（ステップ１１７０）。
【００８４】
零交差検出器６９０はＲＦ信号内の遷移を、+ve 包絡線低域濾波フィルタ６６０からのフィルタ処理された微分+ve 包絡線信号と、-ve 包絡線低域濾波フィルタ６８０からのフィルタ処理された微分-ve 包絡線信号との間の電圧差を用いて検出する（ステップ１１８０）。
【００８５】
本発明を例として示す実施例と共に説明してきたが、当業者には種々の変更および改変が示唆されるであろう。本発明は、添付の特許請求の範囲に落ちるその様な変更および改変を包含するものと意図している。
【図面の簡単な説明】
【００８６】
【図１】図１は従来技術による無線周波識別（RFID）タグ例の構造の図式ブロック的を図示する。
【図２】図２は従来技術による無線周波識別（RFID）タグ例の一部の図式ブロック的を図示し、復調器ブロックの例を示す。
【図３】図３は本発明の原理に基づく無線周波識別（RFID）タグの復調器回路の第１の好適な実施例を図示する。
【図４】図４は本発明の原理に基づく無線周波識別（RFID）タグの復調器回路の第２の好適な実施例を図示する。
【図５】図５は本発明の原理に基づく無線周波識別（RFID）タグの復調器回路の第３の好適な実施例を図示する。
【図６】図６は本発明の原理に基づく無線周波識別（RFID）タグの復調器回路の第４の好適な実施例を図示する。
【図７Ａ】図７Ａは本発明の原理に基づき運転される復調器回路の、模擬論理レベルの復調出力電圧のグラフを図示する。
【図７Ｂ】図７Ｂは本発明の原理に基づき運転される復調器回路の、模擬的ラッチ-ve 包絡線と模擬的ラッチ-ve 包絡線のグラフを図示する。
【図７Ｃ】図７Ｃは本発明の原理に基づき運転される復調器回路の、模擬的-ve ＲＦ包絡線と模擬的-ve ＲＦ包絡線のグラフを図示する。
【図７Ｄ】図７Ｄは本発明の原理に基づき運転される復調器回路の、模擬的入力ＲＦ信号のグラフを図示する。
【図８】図８は、本発明の方法の第１の好適な実施例のステップを示す眺め図を図示する。
【図９】図９は、本発明の方法の第２の好適な実施例のステップを示す眺め図を図示する。
【図１０】図１０は、本発明の方法の第３の好適な実施例のステップを示す眺め図を図示する。
【図１１】図１１は、本発明の方法の第４の好適な実施例のステップを示す眺め図を図示する。
【符号の説明】
【００８７】
１００  ＲＦＩＤタグ
１１０  アナログ・ブロック
１２０  デジタル状態機械
１３０  非揮発メモリ（ＮＶＭ）ブロック
１４０  復調器回路
１５０  変調器回路
１６０  アンテナ
２１０  復調器回路
２２０  アナログおよびデジタル部分
２３０  チャージ・ポンプ回路
２４０  調整器回路
３００  復調器回路
３１０  +ve 包絡線検出器回路
３２０  第１低域濾波フィルタ
３３０  第２低域濾波フィルタ
３４０  ラッチ式比較器回路
３５０  ＲＦ制限器
４００  復調器回路
４１０  +ve 包絡線検出器回路
４２０  低域濾波フィルタ
４３０  基準電圧レベル・ユニット
４４０  ラッチ式比較器回路
４５０  ＲＦ制限器
５００  復調器回路
５１０  +ve 包絡線検出器回路
５２０  第１微分回路
５３０  第１低域濾波フィルタ
５４０  零交差検出器
５５０  -ve 包絡線検出器回路
５６０  第２微分回路
５７０  第２低域濾波フィルタ
５８０  ＲＦ制限器
６００  復調器回路
６１０  第１ポート+ve 包絡線検出器回路
６２０  第１ポート-ve 包絡線検出器回路
６３０  第２ポート+ve 包絡線検出器回路
６４０  第２ポート-ve 包絡線検出器回路
６５０  +ve 包絡線微分回路
６６０  +ve 包絡線低域濾波フィルタ
６７０  -ve 包絡線微分回路
６８０  -ve 包絡線低域濾波フィルタ
６９０  零交差検出器
【図１】
2006180469.tif 000003
【図２】
2006180469.tif 000004
【図３】
2006180469.tif 000005
【図４】
2006180469.tif 000006
【図５】
2006180469.tif 000007
【図６】
2006180469.tif 000008
【図７Ａ】
2006180469.tif 000009
【図７Ｂ】
2006180469.tif 000010
【図７Ｃ】
2006180469.tif 000011
【図７Ｄ】
2006180469.tif 000012
【図８】
2006180469.tif 000013
【図９】
2006180469.tif 000014
【図１０】
2006180469.tif 000015
【図１１】
2006180469.tif 000016
【外国語明細書】
2006180469000001.pdf